(57)【要約】【課題】  粉粒体の量の如何にかかわらず、常に計量スプーンを定位置に係止することができ、構造簡単でありながら、吊り下げ回数が増えてもスプーン係止部が垂れ下がるようなことのない計量スプーン付き容器を提供する。【解決手段】  容器本体１の内壁に、計量スプーン１５の把持部１５ａに形成された係止孔１５ｂを係止可能なフック部１６を有するスプーン係止部１４を形成し、該スプーン係止部１４は容器本体１の開口縁部において内側に折り込んだ折り返し片１２から起立させた。また、スプーン係止部１４は、折り返し片１２に切り込みを入れることによって折り返し片と一体に形成し、容器本体１の上下方向に沿って刻設した折り線１８，１８を回動中心として折り返すことにより、容器本体の内壁に対してほぼ垂直に起立するようにした。さらに、折り線１８，１８に連接して、スプーン係止部１４の起立状態を保持する係止片１９を突出形成した。【選択図】      図３
2006335378.tif 000002
【特許請求の範囲】
【請求項１】
粉粒体と該粉粒体を計量する計量スプーンとを容器本体内に封入してなる計量スプーン付き容器において、
前記容器本体の内壁に、前記計量スプーンの把持部に形成された係止孔を係止可能なフック部を有するスプーン係止部を備え、
該スプーン係止部は容器本体の開口縁部において内側に折り込んだ折り返し片またはスリーブから起立して設けられていることを特徴とする計量スプーン付き容器。
【請求項２】
前記スプーン係止部は、前記折り返し片またはスリーブに切り込みを入れることによって折り返し片またはスリーブと一体に形成され、
容器本体の上下方向に沿って刻設された折り線を回動中心として折り返すことにより、容器本体の内壁に対してほぼ垂直に起立されていることを特徴とする請求項１記載の計量スプーン付き容器。
【請求項３】
前記折り線に連接して、前記スプーン係止部の起立状態を保持する係止片が突出形成されていることを特徴とする請求項１または２記載の計量スプーン付き容器。
【発明の詳細な説明】
【技術分野】
【０００１】
本発明は、粉末洗剤などの粉粒体と該粉粒体を計量する計量スプーンとを封入してなる計量スプーン付き容器に関し、より詳しくは、計量スプーンを係止して吊り下げるためのスプーン係止部を備えた計量スプーン付き容器に関するものである。
【背景技術】
【０００２】
従来、この種の計量スプーン付き容器においては、計量スプーンは充填された粉粒体の上に載せた状態で封入されるのが一般的であった。そのため、流通過程において計量スプーンの把持部が粉粒体中に潜り込んでしまうことがあり、初回使用時に粉粒体中に潜り込んだ計量スプーンを掘り起こして取り出さねばならないことがあった。また、毎回毎回の使用時においても、粉粒体を計量した後の計量スプーンはそのまま容器内の粉粒体の上に置くだけであるため、計量スプーンの把持部が粉粒体中に潜り込み、計量スプーンを取り出す際に指や手に粉粒体が付着することがあるなどの問題があった。そこで、このような問題を解決するため、従来より以下のような容器が提案されている。
【０００３】
１．従来例１（特許文献１参照）
外箱に内箱を内嵌させた二重構造の箱体からなり、外箱の側板に一対の切起し舌片を観音開き状に揺動するように形成し、計量スプーンを側板と舌片との間に差し込んで挟持するようにした計量スプーン付き容器。この容器の場合、計量スプーンを外箱の外壁面に挟持するようにしているため、計量スプーンを紛失しやすい。また、外箱と内箱の二重構造にしなければならず、箱構造が複雑で、コストも高くなるといった問題がある。
【０００４】
２．従来例２（特許文献２参照）
計量スプーン取付用インナーが複数の側板からなり、一端の側板の上端部に一対のＶ字状の切込などからなる計量スプーンの取付部を形成するとともに、他端の側板には前記取付部と相対する上端位置に切込部を形成した計量スプーン付き容器。この容器は、計量スプーンの掬い部側の先端を前記取付部の裏側に差し込むことにより、計量スプーンを側板から箱内へ向けて水平直角に延出させた状態で支持するようにしたものである。
【０００５】
３．従来例３（特許文献３参照）
容器本体の構成部材同士の重合端部（いわゆる糊代端部）に舌状片のスプーン固定部を形成し、この舌片状のスプーン固定部に計量スプーンの掬い部を差し込むことにより、計量スプーンを容器側壁に沿って垂直下向きに保持するようにした計量スプーン付き容器。この容器の場合、使い始めなどの粉粒体の量が多い状態では舌片状をしたスプーン固定部が粉粒体中に隠れていて見えず、取り外した計量スプーンを再度スプーン固定部に差し込むことがむずかしい。そのため、もし再度計量スプーンを差し込んで保持しておきたい場合、粉粒体の量が少なくなってスプーン固定部が直接見えるようになるまでは、勘にたよって差し込まねばならず、使い勝手が悪い。
【０００６】
４．従来例４（特許文献４参照）
容器本体の開口部近傍の内側に、該容器本体を形成する板体を折り返して形成された重合端部を有し、該重合端部の一部を折曲起立させた左右一対の折曲片によってスプーン固定部を形成し、該一対の折り曲げ片の間に計量スプーンの把手部を挿通して垂直下向きに吊り下げることにより、計量スプーンを容器内に保持するようにした計量スプーン付き容器。
【０００７】
この容器の場合、計量スプーンは掬い入れ部を粉粒体中に埋めた状態でスプーン固定部に垂直下向きに吊り下げられているため、初回使用時に計量スプーンを取り外した後は、計量スプーンの吊り下げの邪魔にならない程度まで粉粒体の量が少なくなるまでは、計量スプーンを再びスプーン固定部に吊り下げることは難しい。また、無理に掬い入れ部を粉粒体中に押し込みながらスプーン固定部に吊り下げようとすると、操作を誤って粉粒体を跳ね飛ばし、まわりをよごすおそれがある。そのため、初回使用時に計量スプーンを取り出した後は、粉粒体の量が少なくなるまでは、計量スプーンは従来と同じく粉粒体の上に投げ入れた状態で使用される可能性が高い。
【０００８】
また、スプーン固定部を構成する左右一対の折曲片は、それぞれ水平な折り線を回動中心として上方に向けて９０度水平に折り返すことにより実現されており、この折り返された折曲片の水平状態は折り線部分における板紙の腰によって維持している。そのため、計量スプーンの吊り下げ回数が増えるにつれて折曲片が下方へ向かって垂れ下がってしまい、計量スプーンを左右一対の折曲片の間に挿入しづらくなり、使い勝手が悪くなる。
【０００９】
【特許文献１】実開平０５−８９２２９号公報（段落００１５、図４）
【特許文献２】実開平０７−０２２９１６号公報（全頁、全図）
【特許文献３】特開平０８−３０１２８７号公報（全頁、全図）
【特許文献４】特開平０８−３０１２８８号公報（全頁、全図）
【発明の開示】
【発明が解決しようとする課題】
【００１０】
本発明は、上記した従来のスプーン付き容器の有する問題を解決するためになされたもので、収容されている粉粒体の量の如何にかかわらず、常に計量スプーンを定位置に係止することができ、さらに、構造簡単でありながら、吊り下げ回数が増えてもスプーン係止部が垂れ下がるようなことのない計量スプーン付き容器を提供することを目的とするものである。
【課題を解決するための手段】
【００１１】
本発明は、上記目的を達成するため、以下のような構成を採用した。
すなわち、粉粒体と該粉粒体を計量する計量スプーンとを容器本体内に封入してなる計量スプーン付き容器において、前記容器本体の内壁に、前記計量スプーンの把持部に形成された係止孔を係止可能なフック部を有するスプーン係止部を備え、該スプーン係止部は容器本体の開口縁部において内側に折り込んだ折り返し片またはスリーブから起立して設けられていることを特徴とするものである。
【００１２】
また、前記スプーン係止部は、前記折り返し片またはスリーブに切り込みを入れることによって折り返し片またはスリーブと一体に形成され、容器本体の上下方向に沿って刻設された折り線を回動中心として折り返すことにより、容器本体の内壁に対してほぼ垂直に起立されていることを特徴とするものである。
【００１３】
さらに、前記折り線に連接して、前記スプーン係止部の起立状態を保持する係止片が突出形成されていることを特徴とするものである。
【発明の効果】
【００１４】
本発明の計量スプーン付き容器によれば、以下のような優れた効果を奏することができる。
（１）スプーン係止部のフック部に計量スプーンの把持部に形成された係止孔を引っ掛けて吊り下げることにより、計量スプーンを定位置に係止することができる。そのため、従来のように計量スプーンが粉粒体中に潜り込んでしまうようなことがなくなり、計量スプーンの取り出しが容易となる。また、計量スプーンを掴んで取り出す際に指先や手に粉粒体が付着してしまうというようなこともなくなる。
（２）スプーン係止部のフック部に計量スプーンの把持部に形成された係止孔を引っ掛けて吊り下げるようにしているので、収容されている粉粒体の量の如何にかかわらず、計量スプーンを係止することができる。
（３）スプーン係止部は容器本体の上下方向に沿って刻設した折り線を回動中心として回動して起立させ、計量スプーンの重さの作用する方向と折り線の方向とが同じ方向となるようにしているので、折り線部分の板紙の腰が計量スプーンの重さによって弱くなるようなことがなくなる。そのため、計量スプーンの吊り下げ回数が増えても起立したスプーン係止部が下側へ垂れ下がるようなことがなくなる。
（４）折り線に連接して、スプーン係止部の起立状態を維持可能な係止片を突出形成しているので、折り返し片を一旦起立させた後は折り返し片が板紙の弾性で元の位置へ戻ろうとしてもこれを係止片で阻止することができ、折り返し片を常に容器本体の内壁に対してほぼ垂直に起立した状態に保持することができる。そのため、いつまでも良好な操作性を維持することができる。
【発明を実施するための最良の形態】
【００１５】
以下、本発明の実施の形態について図面を参照して説明する。
図１（ａ）（ｂ）は第１の実施の形態に係る計量スプーン付き容器における容器本体の一部切欠斜視図とスプーン係止部の拡大図、図２はスプーン係止部を起立した状態の容器本体の一部切欠斜視図、図３はスプーン係止部に計量スプーンを吊り下げた状態を示す容器本体の一部切欠斜視図、図４は容器本体の展開図である。なお、容器本体に被せられる蓋部については、本発明と直接関係がないので図示を省略した。
【００１６】
容器本体１は、図４にその展開図を示すように、板紙を打ち抜くことによって、側板２〜５、底面フラップ６〜９、補強用の折り返し片１０〜１３が折り線を介して一体に連接されており、折り線に沿って折り返して組み立てることにより、図１〜図３に示すような形状になる容器本体１とされている。
【００１７】
そして、本発明の場合、前記容器本体１の上縁に位置して内側に折り返して接着された補強用の折り返し片１０〜１３のうちのいずれか、例えば図示例では側板４の折り返し片１２に、収容された粉粒体の最大量時の表面位置よりも上側に位置して、スプーン係止部１４を切り込みによって形成したものである。
【００１８】
すなわち、スプーン係止部１４は、計量スプーン１５（図３参照）の把持部１５ａに形成された係止孔１５ｃを挿通して吊り下げるための略Ｌ字形をしたフック部１６を備えるとともに、スプーン係止部１４の基端部１７側に位置して、スプーン係止部１４を折り曲げて起立させるための回動中心となる折り線１８，１８が容器本体１の上下方向に沿って上下に２分割して形成されている。
【００１９】
この上下に２分割された折り線１８，１８の中間位置には、折り線１８，１８を基準にしてフック部１６とは反対の側へ向けて所定寸法（例えば０．５〜２．０ｍｍ程度）だけ突出する係止片１９が切り込まれ、さらに、フック部１６の先端外側部分には、スプーン係止部１４を折り返して起立させる際にフック部１６を引き起こしやすくするための指入れ穴２０が穿たれている。
【００２０】
なお、前記スプーン係止部１４を形成された折り返し片１２については、少なくとも前記スプーン係止部１４の部分を除いた他の部分のみを側板４に接着するものとする。
【００２１】
図示例に係る計量スプーン付き容器は、製品を購入した消費者がその使用開始時にスプーン係止部１４を引き起こして起立させ、計量スプーン１５を吊り下げて使用することを基本的な使用形態としている。したがって、消費者が製品を購入して容器の蓋を開けた時点では、スプーン係止部１４は起立されておらず、粉粒体を計量するための計量スプーン１５は容器本体１内の粉粒体の上に載せられた状態となっている。なお、製造ならびに販売形態によっては、製品の製造段階においてスプーン係止部１４を起立させ、先端のフック部１６に計量スプーン１５を吊り下げた状態で内容物たる粉末洗剤などの粉粒体を充填して密封するようにしてもよい。
【００２２】
基本的な使用形態の場合、本製品を購入した消費者は、粉粒体の上に載せられた計量スプーンを取り出した後、折り返し片１２に切り込まれているスプーン係止部１４の指入れ穴２０の部分に指先を入れ、図５に示すように、スプーン係止部１４を折り線１８，１８を回動中心として引き起こす。
【００２３】
スプーン係止部１４は、折り線１８，１８を回動中心として折り曲げられて起立していくが、このとき、図５に示すように、一旦スプーン係止部１４を９０度を超えて大きく折り曲げた後、容器本体１の内壁と垂直となる位置まで戻すようにする。これによって、折り線１８，１８の中間位置に突出形成された係止片１９が左方へ反転し、その板紙弾性で左方へ折れ曲がった状態となる。
【００２４】
このため、容器本体１の内壁、すなわち折り返し片１２に対して垂直に起立されたスプーン係止部１４が、板紙の弾性によって元の閉じた方向へ戻ろうとしても係止片１９がこれを押し返し、起立されたスプーン係止部１４を折り返し片１２に対してほぼ垂直状態に保持する。したがって、起立されたスプーン係止部１４が板紙の弾性によって閉じるようなことがなくなる。
【００２５】
上記のようにしてスプーン係止部１４を垂直に起立させた後、計量スプーン１５の把持部１５ａの先端側に形成されている吊り係止孔ｂを、略Ｌ字形をしたフック部１６に挿し通し、計量スプーン１５をフック部１６に吊り下げる。これによって、計量スプーン１５は、図６（ａ）（ｂ）に示すように、そのときの粉粒体３０の残存状況に応じた傾きでフック部１６に吊り下げられ、従来のように把持部１５ｃが粉粒体３０の中に埋まってしまうようなことがなくなる。
【００２６】
したがって、次の使用時には軽量スプーン１５を簡単に取り出すことができ、粉粒体３０によって指や手が汚れるようなことをなくすことができる。このとき、スプーン係止部１４を粉粒体３０の最大量位置よりも上側に設けることにより、収容されている粉粒体３０の残存量の如何にかかわらず、計量スプーン１５を係止することができる。
【００２７】
また、スプーン係止部１４は、容器本体１の上下方向に沿って刻設した折り線１８，１８を回動中心として折り曲げて起立させるようにしているので、計量スプーン１５の重さの作用する方向と折り線１８，１８の方向とが同じ方向となるので、折り線１８、１８部分における板紙の腰が計量スプーン１５の重さによって弱くなるようなことがなくなる。そのため、計量スプーン１５の吊り下げ回数が増えてもスプーン係止部１４が下へ垂れ下がるようなことがなくなる。
【００２８】
さらに、回動中心となる折り線１８，１８に対してフック部１６とは反対の側へ向けて係止片１９を突出形成しているので、一旦スプーン係止部１４を引き起こして起立させると、スプーン係止部１４が板紙の弾性によって元の位置へ戻ろうとしても係止片１９の反発弾性によってこれを阻止することができる。したがって、スプーン係止部１４を常に容器本体１の内壁に対して９０度に起立した状態に維持することができる。
【００２９】
図７および図８に、本発明に係る計量スプーン付き容器の第２の実施の形態を示す。この第２の実施の形態が前記第１の実施の形態と異なる点は、スプーン係止部１４を引き起こす際に指先を差し込むための指入れ穴２０の形成位置を略Ｌ字形をしたフック部１６の下方部分に形成した点だけである。他の部分の形状並びに作用効果は第１の実施の形態と同様であるので、その詳細な説明は省略する。
【００３０】
なお、上記各実施の形態では、係止片１９を上下方向に２分割形成した折り線１８，１８の中間位置に形成したが、係止片１９の形成位置はこの位置に限定されるものではなく、例えば図９に示すように、１本の折り線１８とし、この折り線１８の上下両端位置に係止片１９，１９を形成してもよいものである。
【００３１】
また、上記各実施の形態では、容器本体１に被せられる蓋部については図示を省略したが、スプーン係止部１４の回動起立に邪魔にならない限り、どのような形状、形式の蓋であっても用いることができるものである。
【００３２】
また、上記各実施の形態では、容器本体１を構成する側板２〜５の上縁に連接した補強用の折り返し片１２（または１０，１１，１３）にスプーン係止部１４を形成する場合の例を示したが、蓋との連結構造の関係でこのような折り返し片を形成できない場合などには、例えば図１０に例示するように、前記折り返し片に代えて、容器本体１の内周面を一周するスリーブ（内張り壁）２１を内嵌あるいは貼り合わせて二重壁構造とし、このスリーブ２１にスプーン係止部１４を切り込みによって形成すればよい。なお、このスリーブ２１は、必要に応じ、図示するように容器本体１の内周面を一周して形成してもよいし、スプーン係止部１４を形成する部分にのみ形成するようにしてもよいものである。
【図面の簡単な説明】
【００３３】
【図１】本発明の第１の実施の形態を示すもので、（ａ）は容器本体の一部切欠斜視図、（ｂ）はスプーン係止部の拡大図である。
【図２】スプーン係止部を起立させた状態の容器本体の一部切欠斜視図である。
【図３】スプーン係止部に計量スプーンを吊り下げた状態を示す容器本体の一部切欠斜視図である。
【図４】容器本体の展開図である。
【図５】スプーン係止部の引き起こし方法の説明図である。
【図６】（ａ）（ｂ）は計量スプーンをスプーン係止部のフック部に吊り下げた状態を示す説明図である。
【図７】第２の実施の形態に係る計量スプーン付き容器の容器本体の展開図である。
【図８】第２の実施の形態におけるスプーン係止部の拡大図である。
【図９】スプーン係止部の他の形状例を示す図である。
【図１０】本発明の第３の実施の形態を示すもので、スリーブを貼り合わせて二重壁構造とした容器本体の一部切欠斜視図である。
【符号の説明】
【００３４】
１      容器本体
２〜５  側板
６〜９  底面フラップ
１０〜１３  折り返し片
１４    スプーン係止部
１５    計量スプーン
１５ａ  計量スプーンの把持部
１５ｂ  係止孔
１６    フック部
１７    スプーン係止部の基端部
１８    折り線
１９    係止片
２０    指入れ穴
２１    スリーブ
【図１】
2006335378.tif 000003
【図２】
2006335378.tif 000004
【図３】
2006335378.tif 000005
【図４】
2006335378.tif 000006
【図５】
2006335378.tif 000007
【図６】
2006335378.tif 000008
【図７】
2006335378.tif 000009
【図８】
2006335378.tif 000010
【図９】
2006335378.tif 000011
【図１０】
2006335378.tif 000012